(57)【要約】  眼鏡レンズ(2)の外側縁面（2c-b)に、周方向に長い扁平な凹陥部(13)を形成する。レンズ保持部(9)の先端部をＪ字状に折り曲げてレンズ保持部(9A)とし、このレンズ保持部(9a)を凹陥部(13)に挿入して接着剤(15)により固定することにより、眼鏡レンズ(2)とレンズ保持部(9)との結合強度が大きく、捩れに対して緩んだり脱落するおそれがなく、確実に保持することができるようにした。
2009131158.tif 000002
【特許請求の範囲】
【請求項１】
縁無しタイプの眼鏡における眼鏡レンズを保持するレンズ保持部材を備え、
前記眼鏡レンズの縁面には、レンズの厚さ方向に狭い扁平な穴である凹陥部が形成され、
前記レンズ保持部材は、一端が前記レンズ保持部材の本体につながり同一平面上で折れ曲がっている線状のレンズ保持部を有し、前記レンズ保持部の少なくとも一部を前記凹陥部に挿入した状態で接着剤により固定してなり、
前記レンズ保持部は、前記凹陥部の底に沿って折り曲げられた底部側折曲部と、前記底部側折曲部の一端からレンズ保持部材の本体へ繋がる基端部と、前記底部側折曲部の他端から延設された延長部とを備えていることを特徴とする眼鏡レンズの保持構造。
【請求項２】
請求項１記載の眼鏡レンズの保持構造において、
前記底部側折曲部の前記凹陥部の開口側に充填されて固化した前記接着剤が、前記凹陥部のレンズ厚さ方向に対向する内壁間を結合して抜け防止部を形成していることを特徴とする眼鏡レンズの保持構造。
【請求項３】
請求項２記載の眼鏡レンズの保持構造において、
前記レンズ保持部の延長部の先端は、前記凹陥部の開口より内側に位置していることを特徴とする眼鏡レンズの保持構造。
【請求項４】
請求項２記載の眼鏡レンズの保持構造において、
前記レンズ保持部の延長部の先端は、前記凹陥部の開口に位置していることを特徴とする眼鏡レンズの保持構造
【請求項５】
請求項２記載の眼鏡レンズの保持構造において、
前記レンズ保持部の延長部の先端は、前記凹陥部の開口より外部に突出していることを特徴とする眼鏡レンズの保持構造。
【請求項６】
請求項５記載の眼鏡レンズの保持構造において、
前記レンズ保持部の延長部の先端は、前記凹陥部の開口の外部において基端部に接続されていることを特徴とする眼鏡レンズの保持構造。
【請求項７】
請求項５記載の眼鏡レンズの保持構造において、
前記レンズ保持部の延長部の先端には、装飾品が取付けられていることを特徴とする眼鏡レンズの保持構造。
【請求項８】
請求項１記載の眼鏡レンズの保持構造において、
前記凹陥部の内面は、レンズ厚さ方向に対向する一対の平行な内壁面と、この一対の内壁面の周縁を繋ぐ内縁面とからなり、
前記内縁面は、前記凹陥部の底に位置する底部と、この底部の両端からそれぞれ凹陥部の開口に達する一対の側部とからなり、
前記レンズ保持部の底部側折曲部は、前記凹陥部の底部に沿って折り曲げられていることを特徴とする眼鏡レンズの保持構造。
【請求項９】
請求項８記載の眼鏡レンズの保持構造において、
前記凹陥部の一対の側部は、間隔が一定と、開口に近づくほど拡がっているうちのいずれか一方からなり、
前記凹陥部の底部は、幅方向において平らと、凹んでいるうちのいずれか一方であることを特徴とする眼鏡レンズの保持構造。
【請求項１０】
請求項８記載の眼鏡レンズの保持構造において、
前記レンズ保持部の基端部は、前記凹陥部の一方の側部に近接する部分を有し、
前記レンズ保持部の延長部は、前記凹陥部の他方の側部に近接する部分を有していることを特徴とする眼鏡レンズの保持構造。
【請求項１１】
請求項８記載の眼鏡レンズの保持構造において、
前記レンズ保持部の基端部は、前記凹陥部の開口に位置する部分が、前記凹陥部の側部のいずれか一方に近接していることを特徴とする眼鏡レンズの保持構造。
【請求項１２】
請求項８記載の眼鏡レンズの保持構造において、
前記レンズ保持部の凹陥部内に挿入されている部分は、前記凹陥部の内縁面に沿っていることを特徴とする眼鏡レンズの保持構造
【請求項１３】
請求項２記載の眼鏡レンズの保持構造において、
前記抜け防止部は前記凹陥部の開口まで達していることを特徴とする眼鏡レンズの保持構造。
【請求項１４】
請求項１記載の眼鏡レンズの保持構造において、
前記レンズ保持部の凹陥部内に挿入されている部分の前記レンズ保持部の基端部と延長部との凹陥部幅方向の間隔は一定と、開口に近づくほど拡がっているうちのいずれか一方であることを特徴とする眼鏡レンズの保持構造。
【請求項１５】
請求項１記載の眼鏡レンズの保持構造において、
前記レンズ保持部の基端部は、前記凹陥部に挿入される部分と、開口を跨ぐ部分のうちのいずれか一方に断面非円形形状の捩れ防止部を有することを特徴とする眼鏡レンズの保持構造。
【請求項１６】
請求項１５記載の眼鏡レンズの保持構造において、
前記レンズ保持部の捩れ防止部は、凹陥部と平行な扁平状に形成されていることを特徴とする眼鏡レンズの保持構造。
【請求項１７】
請求項１記載の眼鏡レンズの保持構造において、
前記レンズ保持部材は、智とブリッジのうちのいずれか一方であることを特徴とする眼鏡レンズの保持構造。
【請求項１８】
請求項１記載の眼鏡レンズの保持構造を備えたことを特徴とする眼鏡。
【請求項１９】
請求項１８記載の眼鏡の製造方法であって、
眼鏡レンズの縁面に凹陥部を形成する工程と、
前記凹陥部に接着剤を充填する工程と、
前記凹陥部にレンズ保持部材のレンズ保持部を挿入する工程と、
前記接着剤を真空脱泡する工程と、
前記接着剤を硬化させる工程と、
を備えていることを特徴とする眼鏡の製造方法。  
【発明の詳細な説明】
【技術分野】
【０００１】
本発明は、眼鏡レンズの保持構造、眼鏡および眼鏡の製造方法に関し、特に縁無しタイプの眼鏡に適用して好適な眼鏡レンズの保持構造に関するものである。
【背景技術】
【０００２】
近年、視野の広さや軽量性の利点等から縁無しタイプの眼鏡（以下、縁無し眼鏡ともいう）が注目されている。このような緑無しタイプの眼鏡としては、レンズ縁面に凹みを設け、そこに智やブリッジ等のレンズ保持部材に設けられたレンズ保持部を挿入し、接着剤（樹脂）で固定して、レンズを保持するものが知られている（例えば、特許第２８５４５３１号公報、特開２００１−２０９００９号公報、特許第３２４２８７９号公報参照）。【０００３】
特許第２８５４５３１号公報に記載されている眼鏡レンズの保持構造は、眼鏡レンズの縁面に２つの不貫通穴を形成し、眼鏡フレームのレンズ保持部材に２本のピン状突起部からなるレンズ保持部を設け、不貫通穴にピン状突起部を挿入した状態で接着剤により固定している。【０００４】
特開２００１−２０９００９号公報の図４〜６に記載されている眼鏡レンズの保持構造は、眼鏡レンズの肉厚方向に貫通する断面円形の肉厚方向穴を形成するとともに、レンズの縁面に肉厚方向穴に連通する断面が長穴状の縁面穴を形成している。そして、眼鏡フレームのレンズ保持部材に、縁面穴に対応する断面形状を有した連結部を設け、縁面穴に接着剤を充填した後、その縁面穴に連結部を嵌挿し、接着剤の一部を肉厚方向穴に流出させて固定している。【０００５】
特許第３２４２８７９号公報に記載の眼鏡レンズの保持構造は、眼鏡レンズの縁面に取付穴を形成し、その取付穴の側壁には凹みが設けられている。そして、レンズ保持部材に凹みに潜り込む膨出部を有する係止突起を設け、取付穴に係止突起を挿入後、スライドさせて凹みに膨出部を係止させた状態で接着剤により固定している。【０００６】
このようにレンズの縁面に凹みを設け、そこにレンズ保持部を挿入し接着剤で固定してレンズを保持する縁無し眼鏡は、レンズの光学面にレンズ保持部が突出しないことから、有効視野が広く、レンズ面の拭き取り作業が容易であり、また、レンズ保持に螺子等を用いていないことから緩みやグラツキがなく確実に保持できる。
【発明の開示】
【発明が解決しようとする課題】
【０００７】
ところで、このようにレンズ縁面の凹みにレンズ保持部を嵌め入れて保持する保持構造の場合、レンズ保持部の回転防止および抜け防止のための構成が必要である。【０００８】
特許第２８５４５３１号公報に記載のレンズ保持構造の場合は、レンズ保持部材に形成された平行な２本のピン状突起部を、レンズ縁面に形成された平行な２つの不貫通穴に挿入することにより回転防止をしており、また、ピン状突起部と不貫通穴を接着剤で固定することにより抜け防止をしている。【０００９】
特開２００１−２０９００９号公報に記載のレンズ保持構造の場合は、レンズ縁面に形成する縁面穴を断面長穴状にするとともにレンズ保持部材の連結部を扁平に形成することにより回転防止をしており、また、連結部と縁面穴を接着剤で固定するとともに肉厚方向穴に流出して固化した接着剤が抜け防止用アンカーとして機能することにより抜け防止をしている。【００１０】
特許第３２４２８７９号公報に記載のレンズ保持構造の場合は、取付穴に係止突起を挿入後スライドさせることにより係止突起の膨出部を取付穴の凹みに潜りこませ、かつ、接着剤で固定することにより抜け防止をしており、また、膨出部の上に位置するつなぎ材と取付孔の凹みの上に位置するスリットとが嵌合することにより回転防止をしている。【００１１】
しかしながら、上記した特許第２８５４５３１号公報および特開２００１−２０９００９号公報報に記載されている従来の縁無し眼鏡は、いずれも眼鏡レンズの縁面にストレートな穴を形成し、レンズ保持部材のレンズ保持部をストレートなピン状または板状に形成し、このレンズ保持部を穴または溝に差し込んで接着剤により固定しているため、レンズ保持部の引抜きに対する抵抗力は、接着剤による結合力（穴内面とレンズ保持部外面との間の結合力や、接着剤と穴内面又はレンズ保持部外面との界面での結合力。以下単に接着力とも言う）に依存するところが大きい。このため、例えばレンズやレンズ保持部材に過度の外力が加わるなどして、硬化している接着剤がレンズ保持部の周辺で部分的に破壊や剥離してしまうと、引抜きに対する抵抗力が低下してしまうという問題があった。【００１２】
また、上記した特許第３２４２８７９号公報に記載されている縁無し眼鏡の場合は、接着剤による接着の他に凹みと膨出部との係止構造も有するため、引抜きに対しては比較的強いが、レンズの取付穴やレンズ保持部材の構造が複雑になり、レンズの加工やレンズ保持部材の製造が面倒であるという問題がある。【００１３】
また、上記した特許第２８５４５３１号公報、特開２００１−２０９００９号公報および特許第３２４２８７９号公報に記載されている従来の縁無し眼鏡は、レンズ保持部のレンズ縁面に形成された穴への挿入方向を軸とする回転方向に過度の外力が加わった場合、レンズ保持部材やテンプルの変形等で吸収できない力がレンズ保持部からレンズの穴内面や硬化している接着剤に加わり、レンズや接着剤を破損させてしまう場合があった。【００１４】
本発明は、上記した従来の問題を解決するためになされたもので、その目的とするところは、眼鏡レンズに対するレンズ保持部材の抜け防止と回転防止を簡単な構造で実現でき、眼鏡レンズとレンズ保持部材との結合強度が大きくでき、眼鏡レンズとレンズ保持部材の結合部分に加わった捩れによるレンズの破損も低減でき、レンズ保持部周辺の部分的な接着剤の剥離や破損が生じてもレンズ保持部材が抜けるのを防止できる眼鏡レンズの保持構造、眼鏡、および眼鏡の製造方法を提供することにある。
【課題を解決するための手段】
【００１５】
上記目的を達成するために、本発明に係る眼鏡レンズのレンズ保持構造は、縁無しタイプの眼鏡における眼鏡レンズを保持するレンズ保持部材を備え、前記眼鏡レンズの縁面には、レンズの厚さ方向に狭い扁平な穴である凹陥部が形成され、前記レンズ保持部材は、一端が前記レンズ保持部材の本体につながり同一平面上で折れ曲がっている線状のレンズ保持部を有し、前記レンズ保持部の少なくとも一部を前記凹陥部に挿入した状態で接着剤により固定してなり、前記レンズ保持部は、前記凹陥部の底に沿って折り曲げられた底部側折曲部と、前記底部側折曲部の一端からレンズ保持部材の本体へ繋がる基端部と、前記底部側折曲部の他端から延設された延長部とを備えているものである。【００１６】
また、本発明に係る眼鏡は、上記発明に記載の保持構造を備えているものである。【００１７】
さらに、本発明に係る眼鏡の製造方法は、眼鏡レンズの縁面に凹陥部を形成する工程と、前記凹陥部に接着剤を充填する工程と、前記凹陥部にレンズ保持部材のレンズ保持部を挿入する工程と、前記接着剤を真空脱泡する工程と、前記接着剤を硬化させる工程とを備えているものである。
【発明の効果】
【００１８】
本発明に係る眼鏡レンズの保持構造によれば、眼鏡レンズの縁面に扁平の凹陥部を形成し、レンズ保持部材には同一平面上で折れ曲がった線状の部材であって基端部と底部側折曲部と延長部を有しているレンズ保持部を設け、凹陥部にレンズ保持部を挿入して接着剤を充填して固化させてレンズ保持構造を構成しているので、接着剤による接着力に加えて、固化した接着剤がレンズ保持部材の凹陥部からの抜け方向への移動を妨げるため引っ張りに対して強く、眼鏡レンズとレンズ保持部材の結合強度を大きくすることができる。
また、レンズ保持部の周りで部分的に接着剤の剥離や破損が生じても、固化した接着剤がレンズ保持部の動きを抑制するため、レンズ保持部が抜け落ちたり、脱落したりすることを防止できる。
また、レンズ保持部は同一平面上で折り曲げられた線状材からなるので、外形が扁平で幅を有した形状になるのでレンズ保持部の回転防止の機能を有し、また、レンズ保持部の捩れに対してはレンズ保持部の基端部の捩れで力を吸収できるため、レンズの破損を低減できる。
また、抜け防止と回転防止の機能は簡単な構造で実現でき、レンズの加工、レンズ保持部の製造、レンズ保持部のレンズへの取り付けが容易である。【００１９】
また、本発明において、レンズ保持部材のレンズ保持部によって凹陥部の開口が塞がずに接着剤が開口部に達している場合には、接着剤の重合、収縮等により発生した気泡を真空脱泡によって凹陥部から確実に排出、除去することができる。【００２０】
また、本発明によれば、レンズ保持部の折り曲げ形状を適宜な文字、図形、模様等にすることができるため、従来にないきわめて画期的で斬新なデザインとすることができる。【００２１】
さらに、本発明に係る眼鏡の製造方法は、接着剤を真空脱泡する工程を備えているので、接着剤よって発生した気泡を取り除くことができ、高い接着強度が得られるとともに、美観を高めることができる。
【図面の簡単な説明】
【００２２】
【図１】図１は、本発明に係る眼鏡レンズの保持構造を採用した眼鏡の一実施の形態を示す眼鏡のフロント部の正面図である。
【図２】図２は、眼鏡の平面図である。
【図３】図３は、眼鏡の側面図である。
【図４】図４は、眼鏡レンズの外側縁面に取り付けられているレンズ保持部材の正面図である。
【図５】図５は、眼鏡レンズの内側縁面を保持する鼻側レンズ保持部材の正面図である。
【図６】図６は、眼鏡レンズの外側縁面に取り付けられているレンズ保持部材の外観斜視図である。
【図７】図７は、レンズ保持構造の一実施の形態を示す断面図である。
【図８】図８は、レンズ保持構造の他の実施の形態を示す断面図である。
【図９】図９は、レンズ保持構造の他の実施の形態を示す断面図である。
【図１０】図１０は、レンズ保持構造の他の実施の形態を示す断面図である。
【図１１】図１１は、レンズ保持構造の他の実施の形態を示す断面図である。
【図１２】図１２は、レンズ保持構造の他の実施の形態を示す断面図である。
【図１３】図１３は、レンズ保持構造の他の実施の形態を示す断面図である。
【図１４】図１４は、レンズ保持構造の他の実施の形態を示す断面図である。
【図１５】図１５は、レンズ保持構造の他の実施の形態を示す断面図である。
【図１６】図１６は、レンズ保持構造の他の実施の形態を示す断面図である。
【図１７】図１７は、レンズ保持構造の他の実施の形態を示す断面図である。
【図１８】図１８は、レンズ保持構造の他の実施の形態を示す断面図である。
【図１９】図１９は、レンズ保持構造の他の実施の形態を示す断面図である。
【図２０】図２０は、レンズ保持構造の他の実施の形態を示す断面図である。
【図２１】図２１は、レンズ保持構造の他の実施の形態を示す断面図である。
【図２２】図２２は、レンズ保持構造の他の実施の形態を示す断面図である。
【図２３】図２３は、レンズ保持構造の他の実施の形態を示す断面図である。
【図２４】図２４は、レンズ保持構造の他の実施の形態を示す断面図である。
【図２５】図２５は、レンズ保持構造の他の実施の形態を示す断面図である。
【図２６】図２６は、レンズ保持構造の他の実施の形態を示す断面図である。
【図２７】図２７は、レンズ保持構造の他の実施の形態を示す断面図である。
【図２８】図２８は、レンズ保持構造の他の実施の形態を示す断面図である。
【図２９】図２９は、レンズ保持構造の他の実施の形態を示す正面図である。
【図３０】図３０は、図２９のＡ−Ａ線断面図である。
【図３１】図３１は、凹陥部に接着剤を充填した状態を示す図である。
【発明を実施するための最良の形態】
【００２３】
以下、本発明を図面に示す実施の形態に基づいて詳細に説明する。
先ず、本発明に係る眼鏡とレンズ保持構造の概略構成について説明する。
図１〜図６において、眼鏡１は、左右一対の眼鏡レンズ２、２と、これらの眼鏡レンズ２、２を保持する眼鏡フレーム３とによって縁無し眼鏡を形成している。【００２４】
眼鏡レンズ２は、プラスチック（合成樹脂）によって製作されたメニスカスレンズからなり、凸側光学面２ａ、凹側光学面２ｂおよび縁面２ｃを有している。眼鏡用プラスチックレンズとしては、ジエチレングリコールビスアリルカーボネイト（ＣＲ−３９）またはその混合系からなる共重合体等のアリル系レンズ、ポリカーボネイト系レンズ、アクリル系レンズ、ビスフェノールＡ誘導体系レンズ、ポリウレタン系レンズ、ポリチオウレタン系レンズ、ポリウレタンウレア系レンズ等が挙げられる。特に本発明に係る眼鏡レンズの保持構造に好ましい材料は、耐衝撃性、引っ張り強度等に優れているポリウレタン系レンズ、ポリチオウレタン系レンズ、ポリウレタンウレア系レンズである。【００２５】
眼鏡フレーム３は、一対の眼鏡レンズ２、２間に配設されたブリッジ４と、このブリッジ４に鼻当てパッド足部６を介してそれぞれ取り付けられた左右一対の鼻当てパッド７と、各眼鏡レンズ２の両外側（テンプル側）にそれぞれ配設された左右一対の智（例えばヨロイ智）８、８と、各智８の後端に蝶番１０を介してそれぞれ開閉自在に連結された左右一対のテンプル１１等で構成されている。ブリッジ４と智８は、レンズ２を保持する部材であるので、これらをレンズ保持部材４、８ともいう。【００２６】
ブリッジ４は、ブリッジ本体と、その両端に一体に設けられた線状の部分であって、各眼鏡レンズ２の縁面２ｃのうち内側（鼻側）の縁面２ｃ−ａ（以下、内側縁面２ｃ−ａともいう）をそれぞれ保持する左右一対の鼻側レンズ保持部５、５とからなる。智８は、智本体と、その各智８の前端に一体に設けられた線状の部分であって、眼鏡レンズ２の縁面２ｃのうち外側（テンプル側）の縁面２ｃ−ｂ（以下、外側縁面２ｃ−ｂともいう）を保持する左右一対のテンプル側レンズ保持部９、９とからなる。なお、ここで、ブリッジ４のブリッジ本体と、智８の智本体は、それぞれ鼻側レンズ保持部５、テンプル側レンズ保持部９以外の部分であって、これらを総称して呼ぶ場合はレンズ保持部材本体という。また、鼻側レンズ保持部とテンプル側レンズ保持部を総称して呼ぶ場合はレンズ保持部という。【００２７】
ブリッジ４の材質としては、ＴｉまたはＴｉ合金、鉄系合金、１８金、１４金、洋白、モネル、ハイニッケル、ステンレス等のニッケル合金、またはブロンズやベリリウム銅等の銅合金等の金属材料や、ポリアミド、ＰＡＳ、ＰＥＳ等の樹脂等が用いられる。ブリッジ４と眼鏡レンズ２との固定は、鼻側レンズ保持部５を介して行われる。【００２８】
鼻側レンズ保持部５は、ブリッジ４と同一材料からなる細い線材の折り曲げ加工や射出成形加工（例えば材質が樹脂の場合）などによって形成され、そのうちの少なくとも一部（５Ａ、以下挿入部５Ａという）が眼鏡レンズ２の内側縁面２ｃ−ａに形成した凹陥部１２に差し込まれ、接着剤１５によって固定されることにより、眼鏡レンズ２を保持している。【００２９】
鼻側レンズ保持部５としては、ブリッジ４と同一材料によって一体に形成されるものに限らず、別体に形成してロー付け等によりブリッジ本体に接合されるものであってもよい。【００３０】
鼻側レンズ保持部５の挿入部５Ａの線状材の断面形状としては、円形が好ましく、その直径は０．４〜１．２ｍｍの範囲内が好ましい。なお、断面形状を例えば四角形や三角形のような円形以外の形状に設定することも可能である。【００３１】
鼻側レンズ保持部５の眼鏡レンズ２を保持する部分の形状（挿入部５Ａの形状）としては、後述するように、線状材を同一平面上で折り曲げて形成される種々の形状、例えばＪ字形状、Ｕ字形状、Ｖ字形状、コ字形状、Ｗ字形状、Ｍ字形状、Ｎ字形状、渦巻き形状、三つ葉のクローバーのような形状、文字形状、図形、模様等、あるいはそれらの組み合わせ等の種々の形状にすることができる。【００３２】
鼻側レンズ保持部５の挿入部５Ａの大きさとしては、眼鏡装用者の視界を遮って支障がでない範囲内で任意に設定できるが、好ましくは、レンズ２の凹陥部１２内への挿入方向の長さ（以下、レンズ２への連結深さともいう）が１．５〜４．０ｍｍの範囲内であることが好まし。また、鼻側レンズ保持部５の天地幅（縦方向の幅）は、線材の直径の２．５〜６倍の範囲内が好ましい。【００３３】
眼鏡レンズ２の凹陥部１２は、眼鏡レンズ２の内側縁面２ｃ−ａに形成されたレンズ厚さ方向に狭い扁平な不貫通穴からなり、凹陥部１２の厚さ幅（レンズ厚さ方向の幅）が鼻側レンズ保持部５の凹陥部１２内に挿入される部分（挿入部５Ａ）の厚さ（挿入部５Ａの線状材が断面円形の場合は直径）より若干大きく設定されている。凹陥部１２の深さは挿入部５Ａの連結深さに合うように設定され（好ましくは１．５〜４．０ｍｍの範囲内）、開口長さは挿入部５Ａの天地幅の最大幅と同程度かそれより少し大きく設定されていることが望ましい。凹陥部１２の内面形状は、レンズ厚さ方向に対向する一対の平行な内壁面と、この一対の内壁面の周縁を繋ぐ内縁面とからなり、この内縁面は、凹陥部の底に位置する底部と、この底部の両端からそれぞれ凹陥部の開口に達する一対の側部とからなる。凹陥部１２の幅方向中心線で破断した形状（眼鏡レンズ２を透して見た形状）としては、種々の形状に形成することができる。例えば、後述するように、矩形（図１１、１４、２２、２４）、底部が円弧状に湾曲した半長円形（図７〜１０、図１８〜１９、図２１、２５）、三角形（図１２〜１３、２０）、底部に少なくとも１つの変形部を有する多角形ないし略矩形（図１５〜１７、２６〜２８）、底部がＶ字状の五角形（図２３）等に形成することができる。凹陥部１２の一対の側部は、間隔が一定、または、凹陥部開口に近づくほど拡がっているように構成すると、凹陥部１２内に充填された接着剤に生じた気泡が取り除きやすいので好ましい。また、底部は平らか凹んでいる方が凹陥部１２内に充填された接着剤に気泡が残りにくいので好ましい。【００３４】
このような凹陥部１２は、エンドミルを用いて穴明け加工することによって形成することができる。なお、挿入部５Ａの線状材が断面円形の場合、エンドミルとしてはボールエンドミルを用いることが好ましい。この場合、凹陥部の内縁面と挿入部５Ａの外周に位置する部分が近接し、接着剤層を薄くできるので、接合力を高くできる。穴明け加工において、凹陥部１２は、眼鏡レンズ２の縁面２ｃにほぼ垂直もしくはレンズ２の表面側に傾斜するように斜めに形成される。この場合、凹陥部１２より前方側のレンズ前面肉厚および後方側のレンズ後面肉厚が、十分な強度を得られる所定値以上になるように、穴明け加工の位置および深さを設定するとよい。なお、通常眼鏡レンズ２は、図２および図３に示すように前面（表面）２ａに凸カーブがついており、後面（裏面）２ｃに凹カーブがついているため、凹陥部１２を縁面２ｃに垂直に形成すると、凹陥部１２より後方側のレンズ後面肉厚が凹陥部１２の底側で簿くなり、この部分の強度が前方側に比べて弱くなってしまう。したがって、本実施の形態においては、眼鏡レンズ２の両面のレンズカーブに沿って、すなわち、レンズ前面肉厚とレンズ後面肉厚が、凹陥部１２の底側および開口側において、ほぼ同じかあるいは同じ比率になるように傾斜させて形成することにより、前述の欠点を解消するようにしている。また、レンズ前面のカーブに沿って（すなわち、レンズ前面肉厚が、凹陥部１２の底側および開口側において、ほぼ同じになるように）傾斜させたり、レンズ後面のカーブに沿って（すなわち、レンズ後面肉厚が、凹陥部１２の底側および開口側において、ほぼ同じになるように）傾斜させたりしてもよい。【００３５】
智８は、ブリッジ４と同一の材料によって平面視Ｌ字状に折り曲げ形成され、前端部分がテンプル側レンズ保持部９を形成し、後端にテンプル１１が蝶番１０を介して折り畳み自在に連結されている。また、智８は、変形に耐え得る強度を確保するとともに、蝶番１０の取付けを容易にするために本実施の形態では角柱状に形成されている。また、本実施の形態においては、智８とテンプル側レンズ保持部９をβチタン合金によって一体に形成している。【００３６】
テンプル側レンズ保持部９は、智８と同一材料からなり、鼻側レンズ保持部５と同様に、細い線材の折り曲がった形状に形成され、そのうちの少なくとも一部（９Ａ、以下挿入部９Ａという）が眼鏡レンズ２の外側縁面２ｃ−ｂに形成した凹陥部１３に差し込まれ、接着剤１５によって固定されることにより、眼鏡レンズ２を保持している。テンプル側レンズ保持部９の凹陥部１３内に挿入される挿入部９Ａの形状は、上述した鼻側レンズ保持部５の挿入部５Ａと同様に同一平面上で折り曲げて形成され、また同様な形状や大きさに形成されている。また、挿入部９Ａを構成する線状材の断面形状も同様に形成されている。【００３７】
凹陥部１３は、眼鏡レンズ２の外側縁面２ｃ−ｂに形成されている点が、内側縁面２ｃ−ａに形成されている凹陥部１２と異なるだけで、形状、大きさ自体は同一である。すなわち、凹陥部１３は、眼鏡レンズ２の外側縁面２ｃ−ｂの周方向に長い開口１４を有するレンズ厚さ方向に狭い扁平な不貫通穴からなり、凹陥部の厚さ幅がテンプル側レンズ保持部９の挿入部９Ａの直径より若干大きく設定されている。【００３８】
接着剤１５としては、エポキシ系（例えばスリーボンド社製）、アクリル系、シアノアクリレート系（例えば、スリーボンド社製）、嫌気性系（例えば、ロックタイト社製）等のものが使用できる。特に、エポキシ系のものは、レンズ材料に係わらず接着効果に優れているので好ましい。また、接着剤１５を使用するときの粘度は、２５℃で３０００ポワーズ程度の低粘度で、透明性の高いものが使用される。低粘度のものは、気泡の発生が少なく、作業性において優れている。なお、眼鏡レンズ２にアクリル系レンズを使用する場合、このアクリル系レンズは一般的には特定の溶剤に対して強くないので、接着剤１５には、エポキシ系のものを使用することが望ましい。このような接着剤１５の使用は、眼鏡レンズ２とレンズ保持部５、９の結合をより強固なものにするとともに、凹陥部１２、１３の形成時に発生していると想定される穴周辺のマイクロクラック（視覚的には見えないクラック）や光学的歪み等に対して補完的な作用があると推定されるため非常に好ましい。接着剤１５は、透明なものが視野を妨げず、また、レンズ保持部５、９の挿入部５Ａ、９Ａの装飾的形状を前方から視認できるので好ましい。なお、半透明、不透明の接着剤を用いてもよいし、着色された透明、半透明、不透明の接着剤を用いてもよい。【００３９】
次に、レンズの保持構造の具体的な実施の形態を図７〜図３０に基づいて詳述する。
図７〜図３０は、いずれも眼鏡レンズ２の外側縁面２ｃ−ｂを保持するテンプル側レンズ保持部９による保持構造に適用した例について示しているが、眼鏡レンズ２の内側縁面２ｃ−ａを保持する鼻側レンズ保持部５による保持構造にも全く同様に適用されるものである。なお、以下の図７〜図３０の説明においては、「テンプル側レンズ保持部９」は、単に「レンズ保持部９」と記載する。また、図７〜図３０の凹陥部１３、３０、３３、４３は、凹陥部の幅方向中心線で破断した形状を示している。【００４０】
図７は、眼鏡レンズ２の凹陥部１３を底部１３Ｃが半円弧状に湾曲した半長円形に形成し、両方の側部１３Ａ、１３Ｂを平行に形成し、レンズ保持部９の挿入部９Ａを直径が０．４〜１．２ｍｍ程度の細い線材の折り曲げ加工によってＪ字状に形成した例を示す。同図において、１３Ａ、１３Ｂ、１３Ｃは凹陥部１３の上側の側部（以下、上壁ともいう）、下側の側部（以下、下壁ともいう）および底部であり、１４は開口である。凹陥部１３の上壁１３Ａと下壁１３Ｂは、上下に平行に対向している。開口１４は、挿入部９Ａの線径より若干大きい溝幅で眼鏡レンズ２の周方向に長く開口している。凹陥部１３の開口長さは、挿入部９Ａの天地幅より若干大きく設定されている。【００４１】
レンズ保持部９はレンズ保持部材本体（智本体）と一体に形成されており、凹陥部１３の上壁１３Ａに沿って凹陥部１３内に挿入される部分を有する直線状の基端部２０と、この基端部２０に連設され凹陥部１３の底部１３Ｃに沿うように半円弧状に折り曲げられた底部側折曲部２１と、この底部側折曲部２１に連設された延長部２２とで構成されている。基端部２０は、凹陥部１３の外部に位置する外側基端部２０ａと、凹陥部１３内に位置する内側基端部２０ｂとで構成されている。【００４２】
内側基端部２０ｂは、凹陥部１３の上壁１３Ａに沿って凹陥部１３内に挿入され、上壁１３Ａと略等しい長さを有している。底部側折曲部２１は、その先端面が底部１３Ｃと略同一の曲率半径で半円弧状に湾曲した形状を呈している。延長部２２は、凹陥部１３の下壁１３Ｂに沿って開口１４方向に延設されることにより折り返し部を形成している。また、この延長部２２は、基端部２０と平行で、長さが内側基端部２０ｂより短く、先端２２ａが凹陥部１３の開口１４より内側に位置し、これにより挿入部９Ａの形状が全体としてＪ字状を呈している。また、レンズ保持部９の凹陥部１３内に挿入された部分（挿入部９Ａ）、すなわち内側基端部２０ｂ、底部側折曲部２１および延長部２２によって囲まれた空間２３は、凹陥部１３の開口１４に開放する開いた空間を形成している。挿入部９Ａと凹陥部１３との隙間（空間２３を含む）には接着剤が１５が充填されて固化されている。【００４３】
図８は、延長部２２を長く形成してその先端２２ａを凹陥部１３の開口１４に位置させることにより、レンズ保持部９の内側基端部２０ｂから延長部２２の先端２２ａまでの形状をＵ字状に形成した点が図７に示した実施の形態と異なるだけで、その他の構成は全く同一である。このため、同一構成部材、部分については同一符号をもって示し、その説明を適宜省略する。この実施の形態においても、レンズ保持部９の凹陥部１３内に挿入された部分（挿入部９Ａ）によって囲まれた空間２３は、凹陥部１３の開口１４に開放する開いた空間を形成している。【００４４】
図９は、レンズ保持部９の延長部２２の先端２２ａを凹陥部１３の開口１４から外部に突出させ、その突出端に装飾品２４を取付けた点が図７、図８に示したレンズ保持部９と異なるだけで、その他の構成は全く同一である。【００４５】
装飾品２４としては、宝石、貴金属、皮、セラミックス、合成樹脂等、またはこれらの組み合わせや商標、数字、装飾的な図柄、文様等の飾り板、紐、チェーン等からなり、その材質、形状等には限定されない。【００４６】
図１０は、レンズ保持部９の延長部２２を凹陥部１３の開口１４から外部に突出させてその先端部を上方に直角に折り曲げることにより折曲部２５を形成し、この折曲部２５の先端２５ａを外側基端部２０ａの下面にロウ付け等によって接続したものである。このため、挿入部９Ａは、内側基端部２０ｂと、底部側折曲部２１および延長部２２の一部によって空間２３を形成している。この場合、折曲部２５は眼鏡レンズ２の外側縁面２ｃ−ｂと離間して設けられ、凹陥部１３の開口１４との間に適宜な隙間２７を形成しているため、空間２３は、図７〜図９に示した空間２３と同様に、眼鏡レンズ２の外部に開放している。折曲部２５には、図９に示した実施の形態と同様に適宜な装飾品を取付けることができる。【００４７】
図１１は、眼鏡レンズ２の凹陥部１３を矩形に形成し、レンズ保持部９の凹陥部１３内に挿入されている部分（挿入部９Ａ）、すなわち内側基端部２０ｂ、底部側折曲部２１および延長部２２をコ字状に形成し、延長部２２の先端２２ａを凹陥部１３の開口１４の下端に位置させた点が図７、図８、図９および図１０に示した実施の形態と異なっている。基端部２０の内側基端部２０ｂは凹陥部１３の上壁１３Ａに沿って凹陥部１３内に挿入されている。底部側折曲部２１は、凹陥部１３の底部１３Ｃに沿って下方に折り曲げられている。
延長部２２は、底部側折曲部２１より凹陥部１３の下壁１３Ｂに沿って開口１４方向に延設され、先端２２ａが開口１４の下端に位置している。【００４８】
図１２は、眼鏡レンズ２の凹陥部３０を二等辺三角形に形成することにより、上壁３０Ａおよび下壁３０Ｂを同一角度で逆方向に傾斜する斜面に形成し、底部３０Ｃを上壁３０Ａと下壁３０Ｂとの交差部としている。【００４９】
レンズ保持部９は、基端部２０と、底部側折曲部２１および延長部２２とで構成されている。基端部２０は、直線状の外側基端部２０ａと、上壁３０Ａに沿って下方に傾斜する内側基端部２０ｂとで構成されている。延長部２２は、下壁３０Ｂに沿って下方に傾斜し、先端２２ａが凹陥部３０の開口３１の下端に位置している。このため、レンズ保持部９の凹陥部３０内に挿入されている部分（挿入部９Ａ）は、凹陥部３０の内縁面形状に沿ったＶ字状に折り曲げ形成されている。底部側折曲部２１は、基端部２１と延長部２２との接続部分である。【００５０】
図１３は、眼鏡レンズ２の凹陥部３３を直角三角形に形成することにより、水平な上壁３３Ａと、斜め上方に向かって傾斜する下壁３３Ｂと、上壁３３Ａと下壁３３Ｂとの交差部である底部３３Ｃとで構成し、レンズ保持部９の凹陥部３３内に挿入されている部分（挿入部９Ａ）を、凹陥部３３の内縁面に沿うように「レ」の字状に折り曲げ形成した点が図１２に示した実施の形態と異なる。このため、レンズ保持部９は、直線状の基端部２０と、底部側折曲部２１と、この底部側折曲部２１より下壁３３Ｂに沿って斜め下方に折り曲げられた延長部２２とで構成されている。延長部２２の先端２２ａは、凹陥部３３の開口３４の下端に位置している。【００５１】
ここで、図７〜図１３に示した実施の形態においては、挿入部９Ａの底部側折曲部２１に、凹陥部１３、３０または３３の開口方向に１回折り返される延長部２２をそれぞれ延設した点、挿入部９Ａによって囲まれた空間２３を凹陥部１３、３０または３３の開口から外部に開放する開いた空間とした点、および基端部２０の内側基端部２０ｂを凹陥部１３、３０または３３の上壁１３Ａ、３０Ａまたは３３Ａに沿って凹陥部内に挿入した点で共通しているが、これに限らず上下反転した形状であってもよい。その場合、図１３に示す実施の形態においては、凹陥部３３が上下非対称な形状であるため、挿入部９Ａの形状と一致するように上下反転した凹陥部を形成すればよい。また、凹陥部１３、３０、３３の底部、上側の側部、および、下側の側部に対して、挿入部９Ａの内側基端部、底部側折曲部、および、延長部を連続して近接させているので、薄い接着剤層を内縁面に連続して形成でき、挿入部９Ａと凹陥部内面との接着を強固にできる。【００５２】
図１４は、眼鏡レンズ２の凹陥部１３を矩形に形成し、レンズ保持部９の凹陥部１３内に挿入されている部分（挿入部９Ａ）を角張ったＳ字状に形成したものである。このため、レンズ保持部９は、外側基端部２０ａと内側基端部２０ｂとからなる直線状の基端部２０と、内側基端部２０ｂの先端より凹陥部１３の底部１３Ｃに沿って下方に折り曲げられた底部側折曲部２１と、底部側折曲部２１の下端よりコ字状に折り曲げられた延長部２２とで構成されている。底部側折曲部２１は、底部１３Ｃの略半分の長さを有している。延長部２２は、凹陥部１３の開口方向に折り返された折曲部２２ａと、この折曲部２２ａの前端から下方に折り曲げられた凹陥部幅方向折曲部２２ｂと、この折曲部２２ｂの下端より凹陥部１３の深さ方向に折り返された折曲部２２ｃとで構成される。内側基端部２０ｂ、底部側折曲部２１および折曲部２２ａによって囲まれた空間は、凹陥部１３の開口１４に開放する開いた空間を形成している。長手方向折曲部２２ｂは、凹陥部１３の開口１４に位置している。【００５３】
図１５は、眼鏡レンズ２の凹陥部１３を底部１３に突起部３５を有する異形の矩形に形成し、レンズ保持部９の凹陥部１３内に挿入されている部分（挿入部９Ａ）をＳ字状に形成したものである。凹陥部１３の底部１３Ｃの上側角部は、１／４の円弧状の湾曲面３６に形成されている。突起部３５は、上面が下方に傾斜し、下面が水平な楔形（三角形）に形成されている。【００５４】
挿入部９Ａは、２つの屈曲部が半円弧状に屈曲している点で図１４に示したＳ字状の挿入部９Ａと異なっている。このため、レンズ保持部９は、外側基端部２０ａと内側基端部２０ｂとからなる直線状の基端部２０と、凹陥部１３の底部１３Ｃの湾曲面３６に沿って半円弧状に折り曲げられた底部側折曲部２１と、Ｕ字状に折り曲げられた延長部２２とで構成されている。延長部２２は、凹陥部１３の開口方向に折り返された折曲部２２ａと、この折曲部２２ａの前端から下方に折り曲げられた半円弧状の折曲部２２ｂと、この折曲部２２ｂの下端より凹陥部１３の深さ方向に折り返された折曲部２２ｃとで構成されている。折曲部２２ｃの先端は、突起部３５の真下に位置している。なお、上記図１４、１５の例において、延長部２２の折曲部２２ａと折曲部２２ｃを開口１４から突出させて折曲部２２ｂを凹陥部１３の外に位置するようにすることもできる。【００５５】
図１６は、眼鏡レンズ２の凹陥部１３の底部１３Ｃに突設される突起部３５Ａを、図１５に示した突起部３５よりも長くかつ大きく形成した点が異なっている。突起部３５Ａの上面３５ａは、適宜角度で下方に傾斜する斜面を形成し、底面３５ｂが凹陥部１３の上壁１３Ａ、下壁１３Ｂと平行な面を形成している。底部１３Ｃは、突起部３５の上面３５ａと、上壁１３Ａと突起部３５Ａの上面３５とを接続する凹面状の湾曲部３４ａと、突起部３５Ａの底面３５ｂと、この底面３５ｂと下壁１３Ｂとを接続する垂直な面３４ｃとで構成されている。【００５６】
レンズ保持部９は、凹陥部１３に挿入されている部分（挿入部９Ａ）が図１４、図１５に示した挿入部９Ａと同様にＳ字状に折り曲げ形成されてはいるが、２つの屈曲部を４５°程度の角度で屈曲させ、底部側折曲部２１と延長部２２を「レ」の字状に屈曲させた点が図１４、図１５の挿入部９Ａの形状と異なっている。すなわち、底部側折曲部２１は、内側基端部２０ｂの先端から突起部３５の上面３５ａに沿って下方に傾斜した部分からなり、延長部２２は突起部３５の先端より凹陥部１３の深さ方向に折り返され、下壁１３Ｂと突起部３５Ａの下面３５ｂとの間に差し込まれている。【００５７】
図１７は、凹陥部１３をＷ字状に形成し、レンズ保持部９の凹陥部１３に挿入されている部分（挿入部９Ａ）を凹陥部１３の内縁面に沿ってＷ形状に折り曲げ形成したものである。凹陥部１３の上壁１３Ａは下方に向かって傾斜する斜面に形成されている。一方、下壁１３Ｂは上壁１３Ａと同一角度ではあるが反対方向に傾斜する斜面に形成されている。凹陥部１３の底部１３Ｃは、Ｖ字状に形成されることにより、傾斜方向が反対方向の２つの折曲部で構成されている。【００５８】
レンズ保持部９は、基端部２０と、底部側折曲部２１と、延長部２２とで構成されている。基端部２０は、眼鏡レンズ２の縁面２ｃ−ｂと直交する外側基端部２０ａと、凹陥部１３の上壁１３Ａに沿って下方に傾斜する内側基端部２０ｂとで構成されている。底部側折曲部２１は、凹陥部１３の底部１３Ｃに沿って折り曲げられることによりＶ字状に形成されている。延長部２２は、凹陥部１３の下壁１３Ｂに沿って下方に傾斜し、先端２２ａが凹陥部１３の開口１４の下端に位置している。【００５９】
図１８は、凹陥部１３を半長円形に形成し、レンズ保持部９を基端部２０と、底部側折曲部２１と、延長部２２とで構成したものである。基端部２０は、眼鏡レンズ２の縁面２ｃ−ｂと直交する外側基端部２０ａと、凹陥部１３に挿入される内側基端部２０ｂとからなり、内側基端部２０ｂは、凹陥部１３の上壁１３Ａに沿って凹陥部１３内に挿入された導入部３８ｃと、この導入部３８ｃの内端から凹陥部１３の下方に折り曲げられた凹陥部幅方向折曲部３８ａと、この凹陥部幅方向折曲部３８ａの下端より凹陥部１３の下壁１３Ｂに沿って凹陥部１３の深さ方向に折り曲げられた深さ方向折曲部３８ｂとで構成される。外側基端部２０ａと導入部３８ｃとで直線状に形成されている。導入部３８ｃは、上壁１３Ａの長さの１／３程度の長さを有している。底部側折曲部２１は、凹陥部１３の底部１３Ｃに沿って半円弧状に湾曲しており、その上端に延長部２２が延設されている。延長部２２は、上壁１３Ａに沿って凹陥部１３の開口１４方向に向かって直線状に形成され、先端２２ａが導入部３８ｃの先端面と対向している。すなわち、この挿入部９Ａは、延長部２２を基端部２０と同じ上側に位置させたものである。【００６０】
図１９は、凹陥部１３を半長円形に形成し、挿入部９Ａを数字の「９」の字状に形成したものである。このため、レンズ保持部９は、直線状の基端部２０と、半円弧状の底部側折曲部２１と、底部側折曲部２１の下端より、底部側折曲部２１と略同一の曲率半径で連続した円弧を形成するように上方に折り曲げ形成された半円弧状の延長部２２とで構成されている。延長部２２の先端２２ａは、内側基端部２０ｂの真下に近接して位置している。【００６１】
図２０は、凹陥部３０を二等辺三角形に形成し、レンズ保持部９の凹陥部３０内に挿入されている部分（挿入部）を、凹陥部３０の内壁に沿うように三角形に折り曲げ形成したものである。このため、凹陥部３０は、図１２に示した凹陥部と同様に、傾斜した上壁３０Ａおよび下壁３０Ｂと、底部３０Ｃとを有している。底部３０Ｃは、上壁３０Ａと下壁３０Ｂとの交差部である。【００６２】
レンズ保持部９は、基端部２０と、底部側折曲部２１と、延長部２２とで構成されている。基端部２０は、眼鏡レンズ２の縁面２ｃ−ｂと直交する外側基端部２０ａと、凹陥部３０内に挿入された内側基端部２０ｂとで構成されている。内側基端部２０ｂは、長さが短く、凹陥部３０の上端開口部側から凹陥部３０内に挿入されている導入部４０ｃと、導入部４０ｃの内端から下方に折り曲げられた凹陥部幅方向折曲部４０ａと、この幅方向折曲部４０ａの下端より下壁３０Ｂに沿って斜め上方に折り曲げられ底部側折曲部２１に接続された深さ方向折曲部４０ｂとで構成されている。幅方向折曲部と深さ方向折曲部とで「レ」の字状に形成されている。底部側折曲部２１は、凹陥部３０の底部３０Ｃに沿って形成されている。延長部２２は、上壁３０Ａに沿って斜め上方に傾斜し、先端が内側基端部２０ｂの内端に近接して対向している。【００６３】
図２１は、凹陥部１３を半長円形に形成し、レンズ保持部９の凹陥部１３内に挿入されている部分（挿入部９Ａ）を、渦巻状に形成したものである。このため、レンズ保持部９は、直線状の基端部２０と、凹陥部１３の底部１３Ｃに沿って半円弧状に湾曲した底部側折曲部２１と、この底部側折曲部２１の下端より連続した渦巻を形成するように、凹陥部１３の中心に向かって折り曲げられた延長部２２とで構成されている。【００６４】
図２２は、凹陥部１３を矩形に形成し、レンズ保持部９の凹陥部１３内に挿入されている部分（挿入部９Ａ）を、角張った渦巻状に形成した点が図２１に示した実施の形態と異なっている。【００６５】
図２３は、凹陥部４３を五角形に形成、レンズ保持部９の凹陥部４３内に挿入されている部分（挿入部９Ａ）を、眼鏡レンズ２の縁面２ｃ−ｂに対して略４５°傾いた四角形に形成したものである。【００６６】
凹陥部４３は、上下に平行に対応する上壁４３Ａおよび下壁４３Ｂと、これらの壁部４３Ａ、４３Ｂの奥端を接続する底部４３Ｃを備えている。底部４３Ｃは、９０°の角度で交差する上側底部４３Ｃ−１と下側底部４３Ｃ−２とで構成されている。このため、上壁４３Ａと上側底部４３Ｃ−１および下壁１３Ｂと上側底部４３Ｃ−２とは、それぞれ１３５°の角度で交差している。【００６７】
レンズ保持部９は、基端部２０と、底部側折曲部２１と、延長部２２とで構成されている。基端部２０は、凹陥部４３の開口の中央に位置する外側基端部２０ａと、凹陥部４３の内部に差し込まれた内側基端部２０ｂとで構成されている。内側基端部２０ｂは、４５°の角度で斜め上方に折り曲げられている。底部側折曲部２１は、凹陥部４３の底部４３Ｃに沿ってＶ字状に折り曲げ形成されることにより、上側底部４３Ｃ−１に沿って斜め下方に傾斜する上側折曲部２１ａと、下側底部４３Ｃ−２に沿って斜め下方に傾斜する下側折曲部２１ｂとで構成されている。延長部２２は、下側折曲部２１ｂの下端より４５°の角度で斜め上方に折り曲げ形成され、先端２２ａが内側基端部２２ｂの下端近傍に位置している。【００６８】
図２４は、凹陥部１３を矩形に形成し、レンズ保持部９を基端部２０と、底部側折曲部２１と、延長部２２とで構成したものである。基端部２０は、直線状に形成された外側基端部２０ａと、内側基端部２０ｂとからなり、内側基端部２０ｂが凹陥部１３の上壁１３Ａに沿って凹陥部１３内に挿入されている。底部側折曲部２１は、内側基端部２０ｂの先端より凹陥部１３の底部１３Ｃに沿って下方に折り曲げられている。延長部２２は、底部側折曲部２１の下端より凹陥部１３の下壁１３Ｂに沿って開口１４方向に折り曲げ形成され、先端２２ａが凹陥部１３の開口１４の下端に位置し、また中間部にはさらに下向きコ字状の折曲部４５が形成されている。【００６９】
図２５は、凹陥部１３を半長円形に形成し、レンズ保持部９の凹陥部１３内に挿入されている部分（挿入部９Ａ）をだるま形状または数字の「８」の下方が開放した形状に形成したものである。このため、レンズ保持部９は、基端部２０と、底部側折曲部２１と、延長部２２とで構成されている。基端部２０は、凹陥部１３の外部に位置する直線状の外側基端部２０ａと、凹陥部１３内に位置する内側基端部２０ｂとで構成されている。また、内側基端部２０ｂの中央には、下方に凸状に湾曲する折曲部４８が形成されている。底部側折曲部２１は、凹陥部１３の底部１３Ｃに沿って半円弧状に湾曲している。延長部２２は、底部側折曲部２１の下端より凹陥部１３の下壁１３Ｂに沿って延設され、先端２２ａが開口１４の下端に位置している。また、延長部２２の中間部には、上方に凸状に湾曲する折曲部４９が内側基端部２０ｂの折曲部４８に対向するように形成されている。このため、挿入部９Ａの折曲部４８、４９が形成されている部分は、頸部を形成している。折曲部４８と４９は、同一形状で上下に反転した形状に形成されている。【００７０】
図２６は、矩形の凹陥部１３の底部１３Ｃの中央に矩形の凹部５１を形成し、レンズ保持部９の凹陥部１３内に挿入されている部分（挿入部）を、閉じた十字状の枠形状に形成したものである。凹陥部１３は、上下に平行に対応する上壁１３Ａおよび下壁１３Ｂと、これらの壁部１０Ａ、１０Ｂの奥端を接続する底部１３Ｃとを備えている。底部１３Ｃは、中央に矩形の凹部５１が形成されることにより上下両端部に段差部５２、５３を有している。【００７１】
レンズ保持部９は、基端部２０と、底部側折曲部２１と、延長部２２とで構成されている。基端部２０は、直線状の外側基端部２０ａと、内側基端部２０ｂとで構成されている。また、内側基端部２０ｂは、外側基端部２０ａに続く直線部２０ｂ−１と、この直線部２０ｂ−１の先端に折り曲げ形成された折曲部２０ｂ−２とで構成されている。折曲部２０ｂ−２は、下向きコ字状に形成され、直線部２０ｂ−１より上方に位置している。このため、基端部２０の外側基端部２０ａと、内側基端部２０ｂの直線部２０ｂ−１は、凹陥部１３の開口１４の高さ方向中間部に位置している。【００７２】
底部側折曲部２１は、凹陥部１３の底部１３Ｃの形状に沿うように、開口１４に向かって開放するコ字状に形成されている。延長部２２は、底部側折曲部２１の下端に折り曲げ形成されたコ字状の折曲部２２ＡおよびＬ字状の折曲部２２Ｂとからなり、折曲部２２Ｂの先端５５が直線部２０ｂ−１の下面にロウ付け等によって接続されていてもよいし、近接させてもよい。このため、レンズ保持部９の凹陥部１３内に挿入されている部分（挿入部９Ａ）は、閉じた十字状の空間２７を形成している。【００７３】
図２７は、凹陥部１３を底部１３Ｃに２つの円弧状凹部５６ａ、５６ｂを有する異形の矩形に形成し、レンズ保持部９の凹陥部１３内に挿入されている部分（挿入部９Ａ）を、基端部２０と、底部側折曲部２１と、延長部２２とで三つ葉のクローバーに近似した形状に形成したものである。このため、基端部２０は、外側基端部２０ａと、内側基端部２０ｂとからなり、また内側基端部２０ｂは、直線部２０ｂ−１と、この直線部２１ｂ−１の先端に下方に向かって凸状に湾曲した折曲部２０ｂ−２とで構成されている。底部側折曲部２１は、凹陥部１３の底部１３Ｃの形状に沿うように数字の３に近似した曲線に折り曲げ形成されている。延長部２２は、同じく波形に折り曲げ形成され、先端２２ａが凹陥部１３の開口１４より内側で、折曲部２０ｂ−２の下方に離間して位置している。【００７４】
図２８は、レンズ保持部９の凹陥部１３に挿入されている部分（挿入部９Ａ）をハート形に屈曲させ、延長部２２の先端２２ａを基端部２０に接続（例えばロー付け）あるいは近接させることにより、閉じたハート形の空間２７を形成したものである。その他の構成は図２７に示した実施の形態と略同様である。【００７５】
レンズ保持部９は、基端部２０と、底部側折曲部２１と、延長部２２とで構成されている。基端部２０は、直線状の外側基端部２０ａと、斜め上方に凸状に湾曲した内側基端部２０ｂとからなり、外側基端部２０ａが凹陥部１３の開口１４の中央に位置している。底部側折曲部２１は、凹陥部１３の底部１３Ｃの形状に沿うように数字の３の字状に屈曲している。延長部２２は、底部側折曲部２１の下端から斜め上方に向かって凹状に湾曲しており、先端２２ａが外側基端部２０ａと内側基端部２０ｂとの境部の下面に近接もしくはロー付け等によって接合されている。【００７６】
次に、レンズ保持部９に捩れ防止機能を持たせたレンズ保持構造の例について説明する。図２９はレンズ保持構造の他の実施の形態を示す正面図であり、図３０は図２９のＡ−Ａ線断面図である。この例は、内側基端部２０ｂに捩れ防止部６０を設けた以外は図７に示した例と同じである。この捩れ防止部６０は、内側基端部２０ｂの直径より大きい幅でその直径より厚さが薄い扁平状に形成されている。これにより、外側基端部２０ａに回転方向の力が加わった場合に内側基端部２０ｂの回転を抑制することができる。この捩れ防止部６０の扁平状に広がる方向は、凹陥部の内壁面に平行に形成すると好ましい。この場合、凹陥部の厚さを拡げる必要がなく、また、テンプルを外側に広げる力に対しても強くなる。なお、この捩れ防止部６０は、断面形状が非円形形状であれば、上記した扁平形状以外も可能である。また、この捩れ防止部６０は凹陥部１３の開口１４をまたがるような位置（すなわち内側基端部２０ｂと外側基端部２０ａの接続部分）に形成してもよい。【００７７】
このように、本発明においては、レンズ保持部９の凹陥部１３（３０、３３または４３）内に挿入されている部分を凹陥部１３（３０、３３または４３）の少なくとも底部１３Ｃを含む内縁面の形状に沿うように同一平面上で折れ曲がった形状にすることにより、基端部２０と、底部側折曲部２１および延長部２２とで構成し、これら構成により、レンズ保持部９の底部側折曲部２１と凹陥部１３の底部１３Ｃとを薄い接着剤１５の層で接着できるので、レンズ保持部と凹陥部の結合強度を大きくすることができる。また、これら構成により、レンズ保持部９の底部側折曲部２１の凹陥部開口側に、レンズ保持部９の挿入部９Ａによって囲まれた空間２３、２７が形成され、そこに充填された接着剤が固化して凹陥部の一対の内壁面間を結合しているので、底部側折曲部２１が凹陥部開口側に移動することを防ぐため、レンズ保持部と凹陥部との結合を強度を大きくなるとともに、仮にレンズ保持部の周りの接着剤の剥離や破壊が生じた場合でも、内壁面間を結合している接着剤によりレンズ保持部９の凹陥部１３からの抜け出しを防止することができ、長期にわたって眼鏡レンズ２を安定した状態で保持することができる。【００７８】
また、これら構成により、基端部２０の真っ直ぐに凹陥部に挿入されている部分は、レンズ保持部９の捩れを吸収できるため、レンズ保持部の捩れによる接着剤層やレンズの破壊を低減することができる。
また、これら構成により、凹陥部の幅方向に間隔をあけてレンズ保持部９の線材を位置させた状態で凹陥部に埋め込むことができるので、レンズ保持部９の回転防止をすることができる。【００７９】
また、レンズ保持部９は、眼鏡レンズ２の光学面２ａ、２ｂに突出していないので、光学面にピンまたはビスをねじ込むツーポイントまたはスリーピースタイプの縁無し眼鏡に比べて広い有効視野を確保することができ、特に近方視使用頻度が高い累進レンズや多焦点レンズに対して好適である。また、光学面の拭き取り作業も容易で、眼鏡のデザインをすっきりさせることができる。【００８０】
また、凹陥部１３は、眼鏡レンズ２の縁面２ｃに形成されているので、接着剤１５が凹陥部１３からはみ出しても眼鏡レンズ２の光学面２ａ、２ｂを汚すおそれが少なく、眼鏡レンズ２のレンズ保持部５、９への取付作業が容易である。【００８１】
また、レンズ保持部９の凹陥部１３内に挿入された部分によって囲まれた空間２３が、眼鏡レンズ２の外部に開放する空間の場合は、凹陥部１３、３０、３３または４３にレンズ保持部９が挿入され、かつ、接着剤１５が充填された状態での真空脱泡工程において、接着剤１５により発生した気泡を確実に脱気することができる。【００８２】
また、レンズ保持部９に捩れ防止部６０を形成している場合や、延長部２２先端と基端部２０を結合している場合は、基端部２０の捩れを抑制して保持することもできる。この場合は、捩れ防止部６０が凹陥部の開口側に近いほど基端部の捩れ抑制の効果が高い。また延長部２２の先端と基端部２０の接合位置は、凹陥部の奥側に有るほど捩れ抑制効果を小さくでき、凹陥部の開口側に近いほど、あるいは、凹陥部の外側に有ると捩れ抑制効果大きく設定することができる。【００８３】
一方、挿入部９Ａの折り曲げによって形成された空間２７が閉じた空間を形成している場合は、レンズ保持部９の捩りに対する強度を一層増大させることができる。【００８４】
また、レンズ保持部９の凹陥部１３内に挿入された部分を、図２６、図２７、図２８に示すように十字形状、三つ葉のクローバ形状、ハート形状等の適宜な形状に折り曲げておくと、レンズを透して視認されるため眼鏡のデザイン性を向上させることができる。【００８５】
さらに、レンズ保持部９に捩れ防止部６０を形成しておくと、レンズ保持部９の捩れをより一層確実に防止することができる。【００８６】
次に、上述したようなレンズ保持構造を備えた眼鏡の製造方法について説明する。
先ず、眼鏡レンズ２の各縁面２ｃ−ａ、２ｃ−ｂに凹陥部１２、１３（または３０、３３、４３）をそれぞれ形成する。凹陥部１２、１３の形成は、上述した通り、ボールエンドミルを用いて、レンズ内側縁面および外側縁面の所定位置および所定方向に穴明け加工して形成する。【００８７】
また、レンズ保持部５、９の挿入部５Ａ、９Ａを、凹陥部１２、１３の形状に応じて図７〜図２９に示したような所定の形状に折り曲げておく。レンズ保持部５、９の折り曲げ形成は、適宜な治具を用いて行なう。【００８８】
次に、凹陥部１２、１３に接着剤１５を充填する。接着剤１５の適用方法としては、レンズ保持部５、９が挿入される前に凹陥部１２、１３に接着剤１５を入れておく方法、凹陥部１２、１３へ挿入する前にレンズ保持部５、９の挿入部５Ａ、９Ａに接着剤１５を塗布する方法、またはこれらを組み合わせた方法等が考えられるが、前者の方法の例について説明する。【００８９】
図３１は接着剤が充填された凹陥部１２、１３の厚さ方向の断面図である。凹陥部１３には、予め接着剤１５（例えば、エポキシ系接着剤）を凹陥部１３の開口部付近まで充填しておく。この状態でレンズ保持部５、９の挿入部５Ａ、９Ａを凹陥部１２、１３に静かに挿入し、余分な接着剤１５を凹陥部１２、１３の外部に押し出し、溢れ出た接着剤１５を綺麗に拭き取る。接着剤１５の溢れ出た量が多く、凹陥部１２、１３に充填された接着剤１５が足りなくなったときは、さらに接着剤１５を補充する。【００９０】
凹陥部１２、１３に接着剤１５を充填するときや、接着剤が充填された凹陥部１２、１３に挿入部９Ａを挿入するときに、凹陥部１２、１３内に気泡が残ると眼鏡レンズ２を透して気泡が視認され、眼鏡レンズの美観を損なう。また、接着剤１５による接合強度も低下する。そこで、接着剤１５が充填された凹陥部１３にレンズ保持部５、９を挿入した後に、眼鏡レンズや眼鏡レンズ２が取付けられたレンズ保持部５、９を真空脱泡装置に入れて真空脱泡する。これにより接着剤よって発生した気泡を取り除くことができ、高い接着強度が得られるとともに、美観を高めることができる。なお、凹陥部１２、１３に接着剤１５を充填した後であってレンズ保持部５、９を挿入する前にも真空脱泡を行なうとより好ましい。真空脱泡後、接着剤１５を硬化させる。接着剤１５の硬化は、自然乾燥または加熱による強制乾燥のいずれであってもよい。なお、レンズ保持部５、９を凹陥部１２、１３に挿入する前に挿入部５Ａ、９Ａの濡れ性を向上させるための処理（例えばオゾン処理）を予め挿入部５Ａ、９Ａの表面に施しておくと泡が生じにくいため好ましい。このようにして凹陥部１２、１３挿入部５Ａ、９Ａとの間の隙間や空間に存在する接着剤１５が硬化すると、挿入部５Ａ、９Ａは凹陥部１２、１３に固定されて眼鏡レンズ２はレンズ保持部５、９に保持される。このようにして眼鏡フレーム３に眼鏡レンズ２が取り付けられて、眼鏡１が完成する。【００９１】
なお、本発明は上記した実施の形態に何ら特定されるものではなく、本発明の要旨を逸脱しない範囲内において、レンズ保持部５、９、凹陥部１２、１３の形状等を適宜変更または変形することが可能である。
【図１】
2009131158.tif 000003
【図２】
2009131158.tif 000004
【図３】
2009131158.tif 000005
【図４】
2009131158.tif 000006
【図５】
2009131158.tif 000007
【図６】
2009131158.tif 000008
【図７】
2009131158.tif 000009
【図８】
2009131158.tif 000010
【図９】
2009131158.tif 000011
【図１０】
2009131158.tif 000012
【図１１】
2009131158.tif 000013
【図１２】
2009131158.tif 000014
【図１３】
2009131158.tif 000015
【図１４】
2009131158.tif 000016
【図１５】
2009131158.tif 000017
【図１６】
2009131158.tif 000018
【図１７】
2009131158.tif 000019
【図１８】
2009131158.tif 000020
【図１９】
2009131158.tif 000021
【図２０】
2009131158.tif 000022
【図２１】
2009131158.tif 000023
【図２２】
2009131158.tif 000024
【図２３】
2009131158.tif 000025
【図２４】
2009131158.tif 000026
【図２５】
2009131158.tif 000027
【図２６】
2009131158.tif 000028
【図２７】
2009131158.tif 000029
【図２８】
2009131158.tif 000030
【図２９】
2009131158.tif 000031
【図３０】
2009131158.tif 000032
【図３１】
2009131158.tif 000033
【国際調査報告】
2009131158.tif 000034
2009131158.tif 000035